(57)【特許請求の範囲】
【請求項１】
連結または一体化した第１記録媒体および第２記録媒体を用意する工程と、
インクジェット法により、前記第１記録媒体に光輝性顔料が分散した光輝性インクを付与し、光輝性を有する第１画像を形成する第１画像形成工程と、
インクジェット法により、光透過性を有する前記第２記録媒体に色材を含有したカラーインクを付与し、第２画像を形成する第２画像形成工程と、
前記第１画像を有する前記第１記録媒体と、前記第２画像を有する前記第２記録媒体とを貼り合わせる貼合工程と、を有することを特徴とするインクジェット記録方法。
【請求項２】
インクジェット法により、第１記録媒体に光輝性顔料が分散した光輝性インクを付与し、光輝性を有する第１画像を形成する第１画像形成工程と、
インクジェット法により、光透過性を有する第２記録媒体に色材を含有したカラーインクを付与し、第２画像を形成する第２画像形成工程と、
前記第１画像を有する前記第１記録媒体と、前記第２画像を有する前記第２記録媒体とを貼り合わせる貼合工程と、を有し、
前記光輝性インクは、水を５０質量％以上含む水系インクであることを特徴とするインクジェット記録方法。
【請求項３】
前記貼合工程において、前記第１記録媒体の前記第１画像を形成した面または前記第１記録媒体の前記第１画像を形成した面とは反対側の面と、前記第２記録媒体の前記第２画像を形成した面とが対向するように、前記第１記録媒体と前記第２記録媒体とを貼り合わせる請求項１または２に記載のインクジェット記録方法。
【請求項４】
前記貼合工程において、前記第１記録媒体の前記第１画像を形成した面と前記第２記録媒体の前記第２画像を形成した面とが対向するように、前記第１記録媒体と前記第２記録媒体とを貼り合わせる請求項３に記載のインクジェット記録方法。
【請求項５】
前記第１記録媒体は、空隙層を有する記録媒体である請求項１ないし４のいずれか１項に記載のインクジェット記録方法。
【請求項６】
前記第２記録媒体は、膨潤層を有する記録媒体である請求項１ないし５のいずれか１項に記載のインクジェット記録方法。
【請求項７】
前記カラーインクは、樹脂成分として、スチレン−アクリル酸共重合体、ポリウレタンからなる群から選択される少なくとも１種を含む請求項１ないし６のいずれか１項に記載のインクジェット記録方法。
【請求項８】
請求項１ないし７のいずれかに記載のインクジェット記録方法に用いられる、前記光輝性インクと前記カラーインクとを備えることを特徴とするインクセット。
【請求項９】
請求項１ないし７のいずれかに記載のインクジェット記録方法によって記録されたことを特徴とする記録物。
【発明の詳細な説明】
【技術分野】
【０００１】
本発明は、インクジェット記録方法、インクセット、および記録物に関する。
【背景技術】
【０００２】
近年、記録面に光輝性を有する画像が形成された記録物の需要が高まっている。光輝性を有する画像を形成する方法としては、従来は、例えば、平坦性の高い記録面を有する記録媒体を準備して、これに金属箔を押しつけて記録する箔押し記録法、記録面が平滑なプラスチックフィルムに対して金属等を真空蒸着する方法、および、記録媒体に光輝性顔料インキを塗布し、さらにプレス加工を行う方法等が知られている。
また、インクジェット法によって光輝性顔料を有するインク（以下、光輝性インクという）を吐出して記録する方法が知られている（例えば、特許文献１参照）。
【０００３】
しかし、従来のインクジェット記録方法では、色彩を有する光輝性を得る目的で、インクジェット法により光輝性インクを用いて形成した画像上に、インクジェット法でカラーインクを重ねて画像を形成した場合、光輝性インクによって形成された光輝性層の表面の平滑性が低下し、十分な光輝性を有する画像を形成することができないといった問題があった。
【先行技術文献】
【特許文献】
【０００４】
【特許文献１】特開２００８−１７４７１２号公報
【発明の概要】
【発明が解決しようとする課題】
【０００５】
本発明の目的は、光輝性および発色性に優れた画像を記録（形成）することが可能なインクジェット記録方法、インクセットを提供すること、また、光輝性および色彩性に優れた画像が記録された記録物を提供することにある。
【課題を解決するための手段】
【０００６】
このような目的は、下記の本発明により達成される。
本発明のインクジェット記録方法は、連結または一体化した第１記録媒体および第２記録媒体を用意する工程と、
インクジェット法により、前記第１記録媒体に光輝性顔料が分散した光輝性インクを付与し、光輝性を有する第１画像を形成する第１画像形成工程と、
インクジェット法により、光透過性を有する前記第２記録媒体に色材を含有したカラーインクを付与し、第２画像を形成する第２画像形成工程と、
前記第１画像を有する前記第１記録媒体と、前記第２画像を有する前記第２記録媒体とを貼り合わせる貼合工程と、を有することを特徴とする。
また、本発明のインクジェット記録方法は、インクジェット法により、第１記録媒体に光輝性顔料が分散した光輝性インクを付与し、光輝性を有する第１画像を形成する第１画像形成工程と、
インクジェット法により、光透過性を有する第２記録媒体に色材を含有したカラーインクを付与し、第２画像を形成する第２画像形成工程と、
前記第１画像を有する前記第１記録媒体と、前記第２画像を有する前記第２記録媒体とを貼り合わせる貼合工程と、を有し、
前記光輝性インクは、水を５０質量％以上含む水系インクであることを特徴とする。
これにより、光輝性および発色性に優れた画像を記録（形成）することが可能なインクジェット記録方法を提供することができる。
【０００７】
本発明のインクジェット記録方法では、前記貼合工程において、前記第１記録媒体の前記第１画像を形成した面または前記第１記録媒体の前記第１画像を形成した面とは反対側の面と、前記第２記録媒体の前記第２画像を形成した面とが対向するように、前記第１記録媒体と前記第２記録媒体とを貼り合わせることが好ましい。
これにより、光輝性および発色性に特に優れた画像を記録（形成）することができるとともに、優れた耐擦性（摩擦に対する耐久性）を有する画像を記録（形成）することができる。
【０００８】
本発明のインクジェット記録方法では、前記貼合工程において、前記第１記録媒体の前記第１画像を形成した面と前記第２記録媒体の前記第２画像を形成した面とが対向するように、前記第１記録媒体と前記第２記録媒体とを貼り合わせることが好ましい。
これにより、光輝性および発色性に特に優れた画像を記録（形成）することができるとともに、優れた耐擦性（摩擦に対する耐久性）を有する画像を記録（形成）することができる。
【０００９】
本発明のインクジェット記録方法では、前記第１記録媒体は、空隙層を有する記録媒体であることが好ましい。
これにより、光輝性が良好に発することとなる。
本発明のインクジェット記録方法では、前記第２記録媒体は、膨潤層を有する記録媒体であることが好ましい。
これにより、記録されたカラーインクの第１記録媒体に対しての接着力が良好になる。
【００１０】
本発明のインクジェット記録方法では、前記カラーインクは、樹脂成分として、スチレン−アクリル酸共重合体、ポリウレタンからなる群から選択される少なくとも１種を含むことが好ましい。
これにより、発色性の優れた画像をより効果的に形成することができる。また、第２画像が第１記録媒体と対向する面側に位置する場合において、第１記録媒体と第２記録媒体との接着性をより優れたものとすることができる。
【００１１】
本発明のインクセットは、本発明のインクジェット記録方法に用いられる、前記光輝性インクと前記カラーインクとを備えることを特徴とする。
これにより、光輝性および発色性に優れた画像を記録（形成）することが可能なインクセットを提供することができる。
本発明の記録物は、本発明のインクジェット記録方法によって記録されたことを特徴とする。
これにより、光輝性および発色性に優れた画像が記録された記録物を提供することができる。
【図面の簡単な説明】
【００１２】
【図１】インクジェット装置の概略構成を示す斜視図である。
【図２】第１画像を形成した第１記録媒体および第２画像を形成した第２記録媒体の断面図である。
【図３】本発明のインクジェット記録方法により形成された記録物の第１実施形態を示す断面図である。
【図４】本発明のインクジェット記録方法により形成された記録物の第２実施形態を示す断面図である。
【図５】本発明のインクジェット記録方法により形成された記録物の他の実施形態を示す断面図である。
【図６】本発明のインクジェット記録方法により形成された記録物の他の実施形態を示す断面図である。
【図７】第１画像を形成した第１記録媒体および第２画像を形成した第２記録媒体の一例を示す平面図である。
【発明を実施するための形態】
【００１３】
以下、本発明の好適な実施形態について詳細に説明する。
《インクジェット装置》
まず、本発明のインクジェット記録方法の説明に先立ち、本発明のインクジェット記録方法に適用されるインクジェット装置（液滴吐出装置）の好適な実施形態について説明する。
【００１４】
図１は、本実施形態に係るインクジェット装置の概略構成を示す斜視図である。
図１に示すように、記録装置としてのインクジェット式プリンタ１（以下、プリンタ１という）は、フレーム２を有している。フレーム２には、プラテン３が設けられ、プラテン３上には、記録媒体送りモーター４の駆動により記録媒体Ｐが給送されるようになっている。また、フレーム２には、プラテン３の長手方向と平行に、棒状のガイド部材５が設けられている。
【００１５】
ガイド部材５には、キャリッジ６がガイド部材５の軸線方向に往復移動可能に支持されている。キャリッジ６は、フレーム２内に設けられたタイミングベルト７を介して、キャリッジモーター８に連結されている。そして、キャリッジ６は、キャリッジモーター８の駆動により、ガイド部材５に沿って往復移動されるようになっている。
キャリッジ６には、ヘッド９が設けられるとともに、ヘッド９に液体としてのインクを供給するためのインクカートリッジ１０が着脱可能に配置されている。インクカートリッジ１０内のインクは、ヘッド９に備えられた図示しない圧電素子の駆動により、インクカートリッジ１０からヘッド９へと供給され、ヘッド９のノズル形成面に形成された複数のノズルから、プラテン３上に給送された記録媒体Ｐに対して吐出されるようになっている。これにより記録物を製造することが可能となる。
吐出方法としては、サーマルジェット（バブルジェット）方式でもよい。また、従来公知の方法はいずれも使用できる。
【００１６】
《インクジェット記録方法の第１実施形態》
まず、本発明のインクジェット記録方法の第１実施形態について説明する。
図２は、第１画像を形成した第１記録媒体および第２画像を形成した第２記録媒体の断面図、図３は、本発明のインクジェット記録方法により形成された記録物の第１実施形態を示す断面図である。
【００１７】
本実施形態のインクジェット記録方法は、第１記録媒体１１０の一方の面に、光輝性顔料が分散した光輝性インクを付与し、第２記録媒体２１０上に第１画像１２０を形成し、第１記録物前駆体１００を得る第１画像形成工程と、第２記録媒体２１０の一方の面に、光輝性顔料が分散した光輝性インクを付与し、第２記録媒体２１０上に第２画像２２０を形成し、第２記録物前駆体２００を得る第１画像形成工程と、第１記録物前駆体１００と、第２記録物前駆体２００とを貼り合わせる貼合工程とを有している。
【００１８】
ところで、従来のインクジェット記録方法では、色彩を有する光輝性を得る目的で、インクジェット法により光輝性インクを用いて形成した画像上に、インクジェット法でカラーインクを重ねて画像を形成した場合、光輝性インクによって形成された光輝性層の表面の平滑性が低下し、十分な光輝性を有する画像を形成することができないといった問題があった。
これに対して、本発明では、光輝性インクによって形成された第１画像を有する第１記録媒体と、カラーインクによって形成された第２画像を有する第２記録媒体とを貼り合わせることにより、光輝性および発色性に優れた画像を記録（形成）することができる。
【００１９】
以下、各工程について説明する。
＜第１画像形成工程＞
本工程では、第１記録媒体１１０を用意し、第１記録媒体１１０の一方の面上に、上述したようなインクジェット装置を用いて、光輝性インクを付与し、図２（ａ）に示すように、第１記録媒体１１０上に第１画像１２０を形成し、第１記録物前駆体１００を得る。
【００２０】
［第１記録媒体］
第１記録媒体１１０としては、普通紙、インク受理層等を有する専用紙等の紙のほか、例えば、インクが付与される表面を含む領域が、各種プラスチック、セラミックス、ガラス、金属や、これらの複合材料で構成された基材等が挙げられる。これらの中でも、プラスチックを用いるのが好ましい。これにより、形成される第１画像１２０の光輝性を特に優れた物とすることができる。なお、第１記録媒体について、インク受理層を有する記録媒体である場合には、その記録媒体は空隙層を有する記録媒体であることが好ましい。「空隙層」とは、層を構成する成分のうち、樹脂の割合が３割未満であり、無機粒子が充填され無機粒子間または無機粒子に設けられた孔の空隙に液体が浸透するよう構成された層のことをいう。空隙層を有していることにより、光輝性が良好に発することとなる。
【００２１】
［光輝性インク］
光輝性インクは、光輝性顔料を含有する。光輝性インクに含有される光輝性顔料としては、インクジェット記録方法によって当該インクの液滴を吐出できる範囲内で、任意のものを用いることができる。光輝性顔料は、光輝性インクが樹脂インクの層の上に付着したときに、光輝性を付与する機能を有し、また、付着物に光輝性を付与することもできる。このような光輝性顔料としては、パール顔料や金属粒子があげられる。パール顔料の代表例としては、二酸化チタン被覆雲母、魚鱗箔、酸塩化ビスマス等の真珠光沢や干渉光沢を有する顔料が挙げられる。一方、金属粒子としてはアルミニウム、銀、金、白金、ニッケル、クロム、錫、亜鉛、インジウム、チタン、銅等の粒子を挙げることができ、これらの単体またはこれらの合金およびこれらの混合物から選ばれる少なくとも１種を用いることができる。
【００２２】
本実施形態で使用される光輝性顔料は、光沢度（光輝性）の高さの観点から、銀粒子を用いることが好ましい。以下、光輝性インクの具体例として銀インクを用いて説明する。
（１）銀粒子
上述したように、本実施形態に係る銀インクは、銀粒子を含むものである。このように、銀インクが、銀粒子を含むものであることにより（特に、所定の条件を満足するワックスとともに含むことにより）、優れた金属光沢を有する画像を形成することができる。また、銀は、各種金属の中でも、白色度の高い金属であるため、他色のインクと重ね合わせることにより、金色、銅色等の様々な金属色を表現することができる。
【００２３】
銀粒子の平均粒径は、３ｎｍ以上１００ｎｍ以下であるのが好ましく、２０ｎｍ以上６５ｎｍ以下であるのがより好ましい。これにより、銀インクを用いて形成される画像の光沢感（光輝性）および耐擦性を特に優れたものとすることができる。また、インクジェット方式によるインクの吐出安定性（着弾位置精度、吐出量の安定性等）を特に優れたものとすることができ、長期間にわたって所望の画質の画像をより確実に形成することができる。なお、本明細書では、「平均粒径」とは、特に断りのない限り、体積基準の平均粒径のことを指すものとする。平均粒径は、レーザー回折散乱法を測定原理とする粒度分布測定装置により測定することができる。レーザー回折式粒度分布測定装置として、例えば、動的光散乱法を測定原理とする粒度分布計（例えば、「マイクロトラックＵＰＡ」日機装株式会社製）を用いることができる。
【００２４】
銀インク中における銀粒子の含有率は、０．５質量％以上３０質量％以下であるのが好ましく、５．０質量％以上１５質量％以下であるのがより好ましい。これにより、インクのインクジェット方式による吐出安定性、インクの保存安定性を特に優れたものとすることができる。また、記録物とされたときの記録媒体上での銀粒子の密度（単位面積当たりの含有量）が低い場合から高い場合まで、広い密度の範囲で、良好な画質、耐擦性を実現することができる。
銀粒子は、いかなる方法で調製されたものであってもよく、例えば、銀イオンを含む溶液を用意し、この銀イオンを還元ずることにより、好適に形成することができる。
【００２５】
（２）樹脂
本発明に係る光輝性インクは、樹脂を含有していても良く、これを含有することで定着性や耐擦性が向上する。樹脂としては、ポリアクリル酸、ポリメタアクリル酸、ポリメタアクリル酸エステル、ポリエチルアクリル酸、スチレン−ブタジエン共重合体、ポリブタジエン、アクリロニトリル−ブタジエン共重合体、クロロプレン共重合体、フッ素樹脂、フッ化ビニリデン、ポリオレフィン樹脂、セルロース、スチレン−アクリル酸共重合体、スチレン−メタクリル酸共重合体、ポリスチレン、スチレン−アクリルアミド共重合体、ポリイソブチルアクリレート、ポリアクリロニトリル、ポリ酢酸ビニル、ポリビニルアセタール、ポリアミド、ロジン系樹脂、ポリエチレン、ポリカーボネート、塩化ビニリデン樹脂、セルロースアセテートブチレートなどのセルロース系樹脂、酢酸ビニル樹脂、エチレン−酢酸ビニル共重合体、酢酸ビニル−アクリル共重合体、塩化ビニル樹脂、ポリウレタン、ロジンエステル等が挙げられるがこれらに限定されるものではない。
【００２６】
（３）水
本発明にかかる光輝性インクは、水を５０質量％以上含む水系インクであっても、水の含有量が５０質量％未満である非水系インクであってもよい。
インク中において、水を含有させる場合には、主に銀粒子およびワックス粒子を分散させる分散媒として機能する。インクが水を含むことにより、銀粒子等の分散安定性等を優れたものとすることができ、また、後述するような液滴吐出装置のノズル付近でのインクの不本意な乾燥（分散媒の蒸発）を防止しつつ、インクが付与される記録媒体上での乾燥を速やかに行うことができるため、所望の画像の高速記録を、長期間にわたって好適に行うことができる。インク中に水を含有させる場合には、その水の含有率は、特に限定されないが、２０質量％以上８０質量％以下であるのが好ましく、２５質量％以上７０質量％以下であるのがより好ましい。
【００２７】
（４）多価アルコール
本発明に係る光輝性インクは、多価アルコールを含有することが好ましい。多価アルコールは、本実施形態に係るインクをインクジェット式記録装置に適用した場合に、インクの乾燥を抑制し、インクジェット式記録ヘッド部分におけるインクによる目詰まりを防止することができる。
【００２８】
多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン、１，２−ブタンジオール、１，２−ペンタンジオール、１，２−ヘキサンジオール、１，２−ヘプタンジオール、１，２−オクタンジオールなどが挙げられる。中でも、炭素数が４〜８アルカンジオールが好ましく、炭素数が６〜８のアルカンジオールがより好ましい。これにより、記録媒体への浸透性を特に高いものとすることができる。インク中における多価アルコールの含有率は、特に限定されないが、０．１質量％以上２０質量％以下であるのが好ましく、０．５質量％以上１０質量％以下であるのがより好ましい。
上記の多価アルコールの中でも、インクは、１，２−ヘキサンジオール、トリメチロールプロパンを含むものであるのが好ましい。これにより、インク中における銀粒子の分散安定性を特に優れたものとすることができ、インクの保存安定性を特に優れたものとすることができるとともに、インクの吐出安定性を特に優れたものとすることができる。
【００２９】
（５）グリコールエーテル
本発明に係る光輝性インクは、グリコールエーテルを含有することが好ましい。グリコールエーテルを含有することにより、記録媒体などの被記録面への濡れ性を高めてインクの浸透性を高めることができる。
グリコールエーテルとしては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテルなどの多価アルコールの低級アルキルエーテルを挙げることができる。この中でも、トリエチレングリコールモノブチルエーテルを用いると良好な記録品質を得ることができる。インク中におけるグリコールエーテルの含有率は、特に限定されないが、０．２質量％以上２０質量％以下であるのが好ましく、０．３質量％以上１０質量％以下であるのがより好ましい。
【００３０】
（６）界面活性剤
本発明に係る光輝性インクは、アセチレングリコール系界面活性剤またはポリシロキサン系界面活性剤を含有することが好ましい。アセチレングリコール系界面活性剤またはポリシロキサン系界面活性剤は、記録媒体などの被記録面への濡れ性を高めてインクの浸透性を高めることができる。
【００３１】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オールなどが挙げられる。また、アセチレングリコール系界面活性剤は、市販品を利用することもでき、例えば、オルフィンＥ１０１０、ＳＴＧ、Ｙ（以上、日信化学社製）、サーフィノール１０４、８２、４６５、４８５、ＴＧ（以上、Ａｉｒ Ｐｒｏｄｕｃｔｓ ａｎｄ Ｃｈｅｍｉｃａｌｓ Ｉｎｃ．製）が挙げられる。
【００３２】
ポリシロキサン系界面活性剤としては、市販品を利用することができ、例えば、ＢＹＫ−３４７、ＢＹＫ−３４８（ビックケミー・ジャパン社製）などが挙げられる。
さらに、本発明に係るインクは、アニオン性界面活性剤、ノニオン性界面活性剤、両性界面活性剤などのその他の界面活性剤を含有することもできる。
光輝性インク中における上記界面活性剤の含有率は、特に限定されないが、０．０１質量％以上５．０質量％以下であるのが好ましく、０．１質量％以上０．５質量％以下であるのがより好ましい。
【００３３】
（７）その他の成分
本発明に係る光輝性インクは、上記以外の成分（その他の成分）を含むものであってもよい。このような成分としては、例えば、ｐＨ調整剤、浸透剤、有機バインダー、尿素系化合物、アルカノールアミン（トリエタノールアミン等）等の乾燥抑制剤、チオ尿素等が挙げられる。
【００３４】
＜第２画像形成工程＞
本工程では、第２記録媒体２１０を用意し、第２記録媒体２１０の一方の面に、上述したようなインクジェット装置を用いて、カラーインクを付与し、図２（ｂ）に示すように、第２記録媒体２１０上に第２画像２２０を形成し、第２記録物前駆体２００を得る。
［第２記録媒体］
第２記録媒体２１０としては、光透過性を有するものであれば、特に限定されず、例えば、各種プラスチック、セラミックス、ガラスや、これらの複合材料で構成された基材等が挙げられる。これらの中でも、プラスチックを用いるのが好ましい。これにより、第２記録物前駆体２００の光透過性をより高いものとすることができ、最終的に得られる記録物１０００の光輝性を特に優れた物とすることができる。第２記録媒体２１０に用いられるものとしては、インク受理層を有する記録媒体ならば、記録媒体は膨潤層を有する記録媒体であることが好ましい。「膨潤層」とは、層を構成する成分のうち７割以上樹脂であり、樹脂層がインクの溶媒により膨潤し、それによって開いた孔に溶媒が浸透するよう構成されている層のことをいう。膨潤層であることで、記録されたカラーインクの第１記録媒体１１０に対しての接着力が良好になる。
【００３５】
［カラーインク］
カラーインクには、色材が含まれており、カラーインクとしては、シアン、マゼンタ、イエロー、ライトシアン、ライトマゼンタ、ダークイエロー、レッド、グリーン、ブルー、オレンジ、バイオレット等のインク、ブラックインク、ライトブラックインク等が挙げられる。
色材としては、顔料および染料が挙げられ、通常のインクに使用することができる色材を特に制限なく使用することができる。
本実施形態に使用可能な顔料としては、特に制限されないが、各種公知の顔料が挙げられる。
【００３６】
イエロー有機顔料としては、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
【００３７】
マゼンタ有機顔料としては、Ｃ．Ｉ．ピグメントレッド１、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、またはＣ．Ｉ．ピグメントバイオレット１９、２３、３２、３３、３６、３８、４３、５０等が挙げられる。
【００３８】
シアン有機顔料としては、Ｃ．Ｉ．ピグメントブルー１、２、３、１５、１５：１、１５：２、１５：３、１５：４、１５：６、１５：３４、１６、１８、２２、２５、６０、６５、６６、Ｃ．Ｉ．バットブルー４、６０等が挙げられる。
また、マゼンタ、シアンおよびイエロー以外の有機顔料としては、例えば、Ｃ．Ｉ．ピグメントグリーン７、１０、Ｃ．Ｉ．ピグメントブラウン３、５、２５、２６、Ｃ．Ｉ．ピグメントオレンジ２、５、７、１３、１４、１５、１６、２４、３４、３６、３８、４０、４３、６３等が挙げられる。
顔料は、平均粒径が１０ｎｍ以上２００ｎｍ以下の範囲にあるものが好ましく、より好ましくは５０ｎｍ以上１５０ｎｍ以下程度のものが好ましい。本実施形態における顔料の添加量は、１質量％以上２５質量％以下程度の範囲が好ましく、より好ましくは３質量％以上２０質量％以下の範囲である。
【００３９】
本実施形態において使用可能な染料としては、例えば、アクリジン染料、アニリン染料、アントラキノン染料、アジン染料、アゾメチン染料、ベンゾー及びナフトキノン染料、インジゴイド染料、インドフェノール染料、インドアニリン染料、インダミン染料、ロイコ染料、ナフタールイミド染料、ニグロシン染料、インジュリン染料、ニトロ及びニトロソ染料、オキサジン及びジオキサジン染料、酸化染料、フタロシアニン染料、ポリメチン染料、キノフタロン染料、硫化染料、トリ及びジアクリルメタン染料、チアジン染料、チアゾール染料、キサンテン染料、シアニン染料等が挙げられる。
【００４０】
具体的なイエロー系染料としては、Ｃ．Ｉ．アシッドイエロー１、３、１１、１７、１９、２３、２５、２９、３６、３８、４０、４２、４４、４９、５９、６１、７０、７２、７５、７６、７８、７９、９８、９９、１１０、１１１、１２７、１３１、１３５、１４２、１６２、１６４、１６５、Ｃ．Ｉ．ダイレクトイエロー１、８、１１、１２、２４、２６、２７、３３、３９、４４、５０、５８、８５、８６、８７、８８、８９、９８、１１０、１３２、１４２、１４４、Ｃ．Ｉ．リアクティブイエロー１、２、３、４、６、７、１１、１２、１３、１４、１５、１６、１７、１８、２２、２３、２４、２５、２６、２７、３７、４２、Ｃ．Ｉ．フードイエロー３、４、Ｃ．Ｉ．ソルベントイエロー１５、１９、２１、３０、１０９等が挙げられる。
【００４１】
具体的なマゼンタ系の染料としては、例えば、Ｃ．Ｉ．アシッドレッド１、６、８、９、１３、１４、１８、２６、２７、３２、３５、３７、４２、５１、５２、５７、７５、７７、８０、８２、８５、８７、８８、８９、９２、９４、９７、１０６、１１１、１１４、１１５、１１７、１１８、１１９、１２９、１３０、１３１、１３３、１３４、１３８、１４３、１４５、１５４、１５５、１５８、１６８、１８０、１８３、１８４、１８６、１９４、１９８、２０９、２１１、２１５、２１９、２４９、２５２、２５４、２６２、２６５、２７４、２８２、２８９、３０３、３１７、３２０、３２１、３２２、Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、Ｃ．Ｉ．リアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４５、４６、４９、５０、５８、５９、６３、６４、Ｃ．Ｉ．ソルビライズレッド１、Ｃ．Ｉ．フードレッド７、９、１４等が挙げられる。
【００４２】
具体的なシアン系の染料としては、例えば、Ｃ．Ｉ．アシッドブルー１、７、９、１５、２２、２３、２５、２７、２９、４０、４１、４３、４５、５４、５９、６０、６２、７２、７４、７８、８０、８２、８３、９０、９２、９３、１００、１０２、１０３、１０４、１１２、１１３、１１７、１２０、１２６、１２７、１２９、１３０、１３１、１３８、１４０、１４２、１４３、１５１、１５４、１５８、１６１、１６６、１６７、１６８、１７０、１７１、１８２、１８３、１８４、１８７、１９２、１９９、２０３、２０４、２０５、２２９、２３４、２３６、２４９、Ｃ．Ｉ．ダイレクトブルー１、２、６、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、１９９、２００、２０１、２０２、２０３、２０７、２２５、２２６、２３６、２３７、２４６、２４８、２４９、Ｃ．Ｉ．リアクティブブルー１、２、３、４、５、７、８、９、１３、１４、１５、１７、１８、１９、２０、２１、２５、２６、２７、２８、２９、３１、３２、３３、３４、３７、３８、３９、４０、４１、４３、４４、４６、Ｃ．Ｉ．ソルビライズバットブルー１、５、４１、Ｃ．Ｉ．バットブルー４、２９、６０、Ｃ．Ｉ．フードブルー１、２、Ｃ．Ｉ．ベイシックブルー９、２５、２８、２９、４４等が挙げられる。
【００４３】
その他の色系統の具体的な染料としては、例えば、Ｃ．Ｉ．アシッドグリーン７、１２、２５、２７、３５、３６、４０、４３、４４、６５、７９、Ｃ．Ｉ．ダイレクトグリーン１、６、８、２６、２８、３０、３１、３７、５９、６３、６４、Ｃ．Ｉ．リアクティブグリーン６、７、Ｃ．Ｉ．アシッドバイオレット１５、４３、６６、７８、１０６、Ｃ．Ｉ．ダイレクトバイオレット２、４８、６３、９０、Ｃ．Ｉ．リアクティブバイオレット１、５、９、１０等が挙げられる。
これらの染料は、前記した各色の系の染料の群内および各群間から複数選択して使用することができる。
本実施形態における染料の添加量は、１質量％以上２５質量％以下程度の範囲が好ましく、より好ましくは３質量％以上２０質量％以下の範囲である。
【００４４】
また、カラーインクには、樹脂成分が含まれているのが好ましい。これにより、第２画像２２０の第２記録媒体２１０に対する密着性をより高いものとすることができる。
樹脂成分としては、ポリアクリル酸、ポリメタアクリル酸、ポリメタアクリル酸エステル、ポリエチルアクリル酸、スチレン−ブタジエン共重合体、ポリブタジエン、アクリロニトリル−ブタジエン共重合体、クロロプレン共重合体、フッ素樹脂、フッ化ビニリデン、ポリオレフィン樹脂、セルロース、スチレン−アクリル酸共重合体、スチレン−メタクリル酸共重合体、ポリスチレン、スチレン−アクリルアミド共重合体、ポリイソブチルアクリレート、ポリアクリロニトリル、ポリ酢酸ビニル、ポリビニルアセタール、ポリアミド、ロジン系樹脂、ポリエチレン、ポリカーボネート、塩化ビニリデン樹脂、セルロースアセテートブチレートなどのセルロース系樹脂、酢酸ビニル樹脂、エチレン−酢酸ビニル共重合体、酢酸ビニル−アクリル共重合体、塩化ビニル樹脂、ポリウレタン、ロジンエステル等が挙げられるがこれらに限定されるものではない。
【００４５】
上述した中でも、樹脂成分として、特に、スチレン−アクリル樹脂、および、ポリウレタンからなる群から選択される少なくとも１種を用いるのが好ましい。これにより、発色性の優れた第２画像２２０をより効果的に形成することができる。また、第２画像２２０が第１記録媒体１１０と対向する面側に位置する場合において、第１記録媒体１１０と第２記録媒体２１０との接着性をより優れたものとすることができる。また、第２画像２２０の第２記録媒体２１０に対する密着性をより高いものとすることができる。
【００４６】
カラーインク中における前記樹脂成分の含有量は、０．１質量％以上１０質量％以下であるのが好ましく、０．５質量％以上５質量％以下であるのがより好ましい。これにより、発色性の優れた第２画像２２０をより効果的に形成することができる。また、第２画像２２０が第１記録媒体１１０と対向する面側に位置する場合において、第１記録媒体１１０と第２記録媒体２１０との接着性をより優れたものとすることができる。
【００４７】
＜貼合工程＞
本工程では、第１記録物前駆体１００と第２記録物前駆体２００とを貼り合わせる。これにより、記録物１０００（本発明の記録物）を得る。
本実施形態では、図３に示すように、第１記録物前駆体１００の第１画像１２０側の面と、第２記録物前駆体２００の第２画像２２０側の面とが対向するように、第１記録物前駆体１００と第２記録物前駆体２００とを貼り合わせる。このように、画像が形成された面同士を貼り合わせることにより、光輝性および発色性に特に優れた画像を記録（形成）することができるとともに、優れた耐擦性（摩擦に対する耐久性）を有する画像を記録（形成）することができる。
【００４８】
貼り合せ方法については特に限定されないが、第１記録媒体１１０の第１画像１２０を形成した面または第１記録媒体１１０の第１画像１２０を形成した面とは反対側の面と、第２記録媒体２１０の第２画像２２０を形成した面とが対向するように、第１記録媒体と第２記録媒体とを貼り合わせることが好ましい。より好ましくは、上述のように第１記録物前駆体１００の第１画像１２０側の面と、第２記録物前駆体２００の第２画像２２０側の面とが対向するように貼り合せる方法である。なお、この場合には、第１画像１２０と第２画像２２０とが同一の画像（用いるインクは異なる）であるならば、第２画像２２０は第１画像１２０と比較して、反転させて第２記録媒体２１０に記録するのが好ましい。
【００４９】
なお、上述した実施形態では、第１記録媒体１１０と第２記録媒体２１０とが別の記録媒体であるものとして説明したが、これに限定されず、例えば、図７に示すように、第１記録媒体１１０と第２記録媒体２１０とは、連結または一体化していてもよい。つまり、一体的に一つの記録媒体として形成されていてもよい。このように形成されていることで、搬送及び印刷も別個に行う必要が無くなる点で好ましい。また、貼り合せ工程の態様次第では、折り返すことで工程を行うことが出来る。具体的には、図７では、図７に示す破線で折り返すことにより、第１記録媒体１１０部分と第２記録媒体２１０部分とを貼り合わせる構成となっている。これにより、より簡便に光輝性および発色性に優れた画像が記録された記録物を形成することができる。また、貼り合わせの際の位置合わせが容易となる。
【００５０】
《インクセット》
次に、上述したインクジェット記録方法に適用されるインクセットについて説明する。
本実施形態にかかるインクジェット記録用のインクセットは、上述したような第１記録媒体、第２記録媒体に対し、インクジェット装置を用いて、光輝性を有する画像の記録に用いられるインクセットであって、少なくとも、上述したような光輝性インクとカラーインクを備えている。これにより、光輝性および発色性に優れた画像を記録（形成）することができる。
【００５１】
《インクジェット記録方法の第２実施形態》
次に、本発明のインクジェット記録方法の第２実施形態について説明する。
図４は、本発明のインクジェット記録方法により形成された記録物の第２実施形態を示す断面図である。
本実施形態では、前述した第１実施形態と異なる点について説明し、同様な構成についてはその説明を省略する。
【００５２】
本実施形態では、図４に示すように、第１記録物前駆体１００の第１画像１２０が設けられた面と、第２記録物前駆体２００の第２画像２２０が設けられた面とは反対側の面とを貼り合わせた点で、前述した実施形態と異なっており、それ以外の構成については前述した実施形態と同様の構成となっている。
このような構成とすることにより、形成される画像の光輝性を優れたものとしつつ、発色性を特に優れたものとすることができる。そして、第２記録媒体２１０を介さずにカラーの光輝性画像（カラーメタリック画像）を観察出来るので、つやが無く鈍く光っている状態（マット感）のある画像が得られる。
【００５３】
以上、本発明について、好適な実施形態に基づいて説明したが、本発明はこれらに限定されるものではない。
例えば、本発明の記録物は、図３および図４に限定されず、図５に示すように、第１記録物前駆体１００の第１画像１２０が設けられた面とは反対側の面と、第２記録物前駆体２００の第２画像２２０が設けられた面とを貼り合わせる構成であってもよいし、図６に示すように、第１記録物前駆体１００の第１画像１２０が設けられた面とは反対側の面と、第２記録物前駆体２００の第２画像２２０が設けられた面とは反対側の面とを貼り合わせる構成であってもよい。なお、図６のように貼り合せる場合には、第１画像１２０と第２画像２２０とが同一の画像（用いるインクは異なる）であるならば、第２画像２２０は第１画像１２０と比較して、反転させて第２記録媒体２１０に記録するのが好ましい。
また、前述した実施形態では、第１記録媒体には、光輝性インクで画像を形成するものとして説明したが、これに限定されず、光輝性インクによる画像の他に、カラーインクによる画像を形成してもよい。
【実施例】
【００５４】
次に、本発明の具体的実施例について説明する。
［１］光輝性インクの調製
ポリビニルピロリドン（ＰＶＰ、重合平均分子量１００００）を７０℃の条件下で１５時間加熱して、その後室温で冷却をした。そのＰＶＰ１０００ｇを、エチレングリコール溶液５００ｍｌに添加してＰＶＰ溶液を調整した。別の容器にエチレングリコールを５００ｍｌ入れ、硝酸銀１２８ｇを加えて電磁攪拌器で十分に攪拌をして硝酸銀溶液を調整した。ＰＶＰ溶液を１２０℃の条件下でオーバーヘッドミキサーを用いて攪拌しつつ、硝酸銀溶液を添加して約８０分間加熱して反応を進行させた。そして、その後室温で冷却をさせた。得られた溶液を遠心分離機で２２００ｒｐｍの条件下で１０分間遠心分離を行った。その後、分離が出来た銀粒子を取り出して、余分なＰＶＰを除去するためエタノール溶液５００ｍｌに添加した。そして、さらに遠心分離を行い、銀粒子を取り出した。さらに、取り出した銀粒子を真空乾燥機で３５℃、１．３Ｐａの条件下で乾燥させた。
上記によって製造された銀粒子１０質量％に、グリセリンを１０質量％、１，２−ヘキサンジオールを３質量％、トリエタノールアミンを０．５質量％、シリコン系界面活性剤（ＢＹＫ−３４８）１質量％、さらに濃度調整用のイオン交換水を添加することにより、光輝性インクとした。
【００５５】
［２］カラーインクの調製
カラーインクは、表１に記載の組成になるように、顔料、樹脂成分、グリセリン、１，２−ヘキサンジオール、トリエタノールアミン、シリコン系界面活性剤（ＢＹＫ−３４８）およびイオン交換水を混合し調製した。その後、常温で１時間混合撹拌して、表１に記載の７種類のカラーインクを得た。
表１中、使用した顔料および樹脂成分は、下記のとおりである。
【００５６】
（１）顔料
・シアン顔料（Ｃ．Ｉ．ピグメントブルー１５：３）（表中、Ｃと示す。）
・マゼンダ顔料（Ｃ．Ｉ．ピグメントバイオレット１９）（表中、Ｍと示す。）
・イエロー顔料（Ｃ．Ｉ．ピグメントイエロー７４）（表中、Ｙと示す。）
（２）樹脂成分
・ポリウレタン（三井化学株式会社製、商品名「Ｗ−６１５」（ポリカーボネート系アニオン性ポリウレタン、Ｔｇ＝８５℃））（表中、樹脂１と示す。）
・スチレン−アクリル酸共重合体（東亜合成株式会社製、商品名「ＵＣ−３９００」（スチレンアクリル樹脂、Ｔｇ＝６０℃））（表中、樹脂２と示す。）
・アクリル樹脂（東亜合成株式会社製、商品名「ＵＧ−４０１０」（アクリル樹脂、Ｔｇ＝−５７℃））（表中、樹脂３と示す。）
【００５７】
【表１】
0005685897.tif 000002
【００５８】
［３］記録物の形成
（実施例１〜１４）
まず、図１に示すインクジェット装置により、光輝性インクを用いて、表２に示す第１記録媒体のＡ４サイズのものに解像度１４４０×１４４０ベタ印刷を行い、第１記録物前駆体を得た。
【００５９】
また、図１に示すインクジェット装置により、表２に示すカラーインクを用いて、表２に示す第２記録媒体のＡ４サイズのものに解像度１４４０×１４４０ベタ印刷を行い、第２記録物前駆体を得た。
得られた第１記録物前駆体と第２記録物前駆体とを、表２の貼り合わせパターンにより、貼り合わせ、記録物を得た。
【００６０】
（比較例１〜５）
まず、図１に示すインクジェット装置により、光輝性インクを用いて、表２に示す記録媒体のＡ４サイズのものに解像度１４４０×１４４０ベタ印刷を行い、その後、光輝性インクで印刷した面に、表２に示すカラーインクを用いて、解像度１４４０×１４４０ベタ印刷を行い、記録物を得た。
【００６１】
なお、表２中、貼り合わせパターンは、図３の貼り合わせパターンを１、図４の貼り合わせパターンを２、図５の貼り合わせパターンを３、図６の貼り合わせパターンを４と示した。
また、表２中、膨潤クリアフィルム（セイコーエプソン社製、商品名「クリアプルーフフィルム」）を「ＣＰＦ」、空隙クリアフィルム（セイコーエプソン社製、商品名「エプソンＯＨＰシート」）を「ＯＨＰ」、写真用紙（写真用紙＜光沢＞、セイコーエプソン社製）を「写真用紙」と示した。
【００６２】
【表２】
0005685897.tif 000003
【００６３】
［４］光沢評価
［４．１］官能評価
前記各実施例および各比較例に係る記録物について、１０人の被験者に光の反射により光沢感（キラキラ感）があるかを、０点〜３点の４段階の基準で採点して貰い、１０人の平均を算出し、以下の４段階の基準に従い評価した。
Ａ  ：平均点２点以上（光の反射によりキラキラ感が強く見える）
Ｂ  ：平均点１．５点以上２点未満（光の反射によりキラキラ感が少しある）
Ｃ  ：平均点０．５点以上１．５点未満（光の反射が確認できる）
Ｄ  ：平均点０．５点未満（光の反射が確認できない）
【００６４】
［４．２］６０℃光沢度の数値測定
前記各実施例および各比較例に係る記録物について、光沢度計（ＭＩＮＯＬＴＡ  ＭＵＬＴＩ  ＧＬＯＳＳ  ２６８）を用い、煽り角度６０°での光沢度を測定した。
［４．３］数値評価
［４．２］で得られた数値を以下の基準により評価した。
Ａ  ：６０°光沢が１２０以上            
Ｂ  ：６０°光沢が１１０以上１２０未満
Ｃ  ：６０°光沢が１１０未満
［４．４］総合評価
前記各実施例および各比較例に係る記録物について、数値評価及び官能評価のうち、評価の低い方を総合評価とした。
【００６５】
［５］発色
色味は各カラーインクを単色で印刷した場合のＬａｂ値から、各実施例および各比較例の記録物のａｂ値がどの程度離れているかを示す△ｃ＊値を測定し、以下の基準に従い評価した。なお、シアンインクの基準のａ＊値を−３５．４１、ｂ＊値を−３４．９２とし、マゼンダインクの基準のａ＊値を７０．９８、ｂ＊値を−３．２７とし、イエローインクの基準のａ＊値を−１０．１７、ｂ＊値を８０．２５とした。
Ａ  ：△ｃ＊値が３０以内
Ｂ  ：△ｃ＊値が３０より大きく、４０以下
Ｃ  ：△ｃ＊値が４０より大きい
【００６６】
［６］接着性
接着性の試験は各実施例および各比較例の記録物を1日放置し、その後、手で記録物の剥し試験を行った。
Ａ  ：剥そうとするのに大きな力が必要となり、音を立てて剥がれる
Ｂ  ：剥そうとすると大きな力は必要とならないが、音を立てて剥がれる
Ｃ  ：剥そうとすると引っかかりはあるがくっついていない
Ｄ  ：全くくっついていない
【００６７】
［７］マット感
マット感は、各実施例および各比較例の記録物の表面状態を見たときに、つやが無く、鈍く光っている状態が見られるかどうか官能評価を行った。
これらの結果を表２に合わせて示した。
表２から明らかなように、本発明のインクジェット記録方法によれば、光輝性および発色性に優れた画像を記録（形成）することが可能であった。これに対して、比較例では満足な結果が得られなかった。
【符号の説明】
【００６８】
１…インクジェット式プリンタ（プリンタ）  ２…フレーム  ３…プラテン  ４…記録媒体送りモーター  ５…ガイド部材  ６…キャリッジ  ７…タイミングベルト  ８…キャリッジモーター  ９…ヘッド  １０…インクカートリッジ  Ｐ…記録媒体（基材）  １００…第１記録物前駆体  １１０…第１記録媒体  １２０…第１画像  ２００…第２記録物前駆体  ２１０…第２記録媒体  ２２０…第２画像  １０００…記録物
【図１】
0005685897.tif 000004
【図２】
0005685897.tif 000005
【図３】
0005685897.tif 000006
【図４】
0005685897.tif 000007
【図５】
0005685897.tif 000008
【図６】
0005685897.tif 000009
【図７】
0005685897.tif 000010